(57)【特許請求の範囲】
【請求項１】
睫毛の一方を保持する規定部と、規定部に対して相対的に接離自在に設けられて規定部との間で睫毛を挟み込む挟持部と、挟持部を移動せしめる操作ハンドルとを備えた睫毛成形具において、上記挟持部は左右に複数分割して連設してあり、且つ、各々が独立して規定部に対する接離を行なうことを特徴とする睫毛成形具。
【請求項２】
操作ハンドルの操作により複数に分割した挟持部の全部が規定部に対する接離を行う場合と、一部のみが規定部に対する接離を行う場合とを切換える切替スイッチを設けることを特徴とする請求項1に記載の睫毛成形具。
【請求項３】
切替スイッチの操作方向を、操作ハンドルのスライドによる操作方向と略垂直なスライド方向とすることを特徴とする請求項２に記載の睫毛成形具。
【請求項４】
切替スイッチを、操作ハンドルの位置を基準として、挟持部を規定部側に移動させる際の操作ハンドルのスライドによる操作方向と反対側の位置に配することを特徴とする請求項２または３に記載の睫毛成形具。
【請求項５】
複数に分割した挟持部の一部のみが規定部に対する接離を行う場合の選択を行う切替スイッチの操作範囲を複数に分割するとともに、切替スイッチが各々の分割した操作範囲にあるときに、該操作範囲の分割位置と対応した分割位置の挟持部が規定部に対して接離を行うことを特徴とする請求項２〜４のいずれかに記載の睫毛成形具。
【請求項６】
切替スイッチの操作により複数に分割した挟持部の一部のみが規定部に対する接離を行う場合を選択したときに、接離を行う一部の挟持部以外の挟持部を規定部から離れた位置に固定しておく為の機構を備えることを特徴とする請求項２〜５のいずれかに記載の睫毛成形具。
【請求項７】
切替スイッチの操作により複数に分割した挟持部の一部のみが規定部に対する接離を行う場合を選択したときに、規定部と接触した状態の挟持部をその位置で固定しておく為の機構を備えることを特徴とする請求項２〜６のいずれかに記載の睫毛成形具。
【請求項８】
切替スイッチの操作により複数に分割した挟持部の一部のみが規定部に対する接離を行う場合を選択し、且つ、挟持部が接離を行っている最中に切替スイッチを固定しておく為の機構を備えることを特徴とする請求項２〜７のいずれかに記載の睫毛成形具。
【請求項９】
複数に分割した挟持部に、隣接する挟持部側に延設して成る突出部を設けることを特徴とする請求項１〜８のいずれかに記載の睫毛成形具。
【請求項１０】
隣接する挟持部において、双方から延設される突出部の規定部側の面を、互いの挟持部の規定部との接触面を連結させるように延設した面を二分割した形状に設けることを特徴とする請求項９に記載の睫毛成形具。
【請求項１１】
突出部を弾性体で形成することを特徴とする請求項９または１０に記載の睫毛成形具。
【請求項１２】
突出部を薄肉状に形成することを特徴とする請求項９〜１１のいずれかに記載の睫毛成形具。
【請求項１３】
睫毛を規定部と挟持部で挟み込んだ状態で、操作ハンドルの操作により睫毛の突出した毛先側の部分を規定部側へ押し付ける動作を行なう第二挟持部を設けることを特徴とする請求項１〜１２のいずれかに記載の睫毛成形具。
【請求項１４】
操作ハンドルの操作により第二挟持部に睫毛を規定部に押し付ける動作を、複数に分割した挟持部の全部が規定部に対する接離を行う場合にのみ行なわせる為の機構を備えていることを特徴とする請求項１３に記載の睫毛成形具。
【請求項１５】
複数に分割した挟持部の一部のみが規定部に対する接離を行う場合には、操作ハンドルの操作による第二挟持部の動作を、睫毛を規定部に押し付ける位置より適当な隙間を空けた位置で停止させる為の機構を備えていることを特徴とする請求項１４に記載の睫毛成形具。
【請求項１６】
分割された挟持部の各々にヒータを内蔵していることを特徴とする請求項１〜１５のいずれかに記載の睫毛成形具。
【請求項１７】
少なくとも一つのヒータに通電が為されていることを表示する通電ランプを備えることを特徴とする請求項１６に記載の睫毛成形具。
【請求項１８】
通電ランプの発光を、通電されたヒータを備える挟持部により異なる発光色で行うことを特徴とする請求項１７に記載の睫毛成形具。
【請求項１９】
通電ランプの発光を、通電の電源電圧が低いほどに弱い発光輝度で行うことを特徴とする請求項１７または１８に記載の睫毛成形具。
【請求項２０】
操作ハンドルを複数設け、各々の操作ハンドルが分割された挟持部の各々を独立して移動せしめることを特徴とする請求項1に記載の睫毛成形具。
【請求項２１】
睫毛を規定部と挟持部で挟み込んだ状態で、睫毛の突出した毛先側の部分を規定部側へ押し付ける第二挟持部を設けるとともに、該第二挟持部を左右に複数分割して連設し、各々が独立して規定部に対する接離を行なうことを特徴とする請求項１または２０に記載の睫毛成形具。
【請求項２２】
分割された挟持部及び分割された第二挟持部の各々にヒータを内蔵していることを特徴とする請求項２１に記載の睫毛成形具。
【発明の詳細な説明】
【０００１】
【発明の属する技術分野】
本発明は、睫毛に癖付けを行う為の睫毛成形具に関する。
【０００２】
【従来の技術】
睫毛成形具として従来のものは、睫毛を保持する規定部と該規定部との間で睫毛を挟み込む挟持部とを夫々一つずつ設けて構成したものであり、一度の使用で睫毛全体を癖付けさせるには都合が良いのだが、これを利用して目元や目尻といった睫毛の局所的な部分の癖付けを行なうには不向きなものであった。
【０００３】
また、局所的に睫毛の癖付けを行なう為の睫毛成形具もあるのだが、これを利用して目元や目尻といった局所的な部分の癖付けを行う為には、該睫毛成形具を徐々にずらしながら順に癖付けを行なわなければならず、手間がかかるうえに技術も必要であった。更に、全体的な癖付けと局所的な癖付けの両方を行いたい場合には上記したような睫毛成形具を幾つか揃えて使い分ける必要があり、これも使用者にとっては非常に面倒であった。
【０００４】
【発明が解決しようとする課題】
本発明は上記の点に鑑みてなされたものであり、使用者が容易な操作によって睫毛全体の癖付け及び局所的な癖付けを選択して行うことのできる睫毛成形具を提供することを課題とするものである。
【０００５】
【課題を解決するための手段】
上記課題を解決するために本発明を、睫毛の一方を保持する規定部と、規定部に対して相対的に接離自在に設けられて規定部との間で睫毛を挟み込む挟持部と、挟持部を移動せしめる操作ハンドルとを備えるとともに、上記挟持部は左右に複数分割して連設してあり、且つ、各々が独立して規定部に対する接離を行なうことを特徴とする睫毛成形具とする。このようにすることで、分割した挟持部の全てを同時に移動させれば一度で睫毛全体を癖付けすることができ、また、分割した挟持部の各々を単独で移動させれば睫毛の目元や目尻といった局所的な部分のみを規定部と各々の挟持部の間で挟み込んで癖付けすることができる。
【０００６】
また、操作ハンドルの操作により複数に分割した挟持部の全部が規定部に対する接離を行う場合と、一部のみが規定部に対する接離を行う場合とを切換える切替スイッチを設けることも好ましく、このようにすることで、一度で睫毛全体の癖付けをしたり睫毛の目元や目尻と言った局所的な部分のみの癖付けをしたりといった多様な癖付けを、切替スイッチの操作により簡単且つ確実に行うことができる。
【０００７】
また、切替スイッチの操作方向を、操作ハンドルのスライドによる操作方向と略垂直なスライド方向とすることも好ましく、このようにすることで、操作ハンドルを操作している最中に間違って切替スイッチをスライドさせて希望の動作状態を切り替えてしまうといったことが防止される。
【０００８】
また、切替スイッチを、操作ハンドルの位置を基準として、挟持部を規定部側に移動させる際の操作ハンドルのスライドによる操作方向と反対側の位置に配することも好ましく、このようにすることで、操作ハンドルを操作している最中に間違って切替スイッチに接触して希望の動作状態を切り替えてしまうといったことが防止されるとともに、操作ハンドルを初期状態に戻したときに切替スイッチが戻した指の近くにあることから別の動作状態への切り替えを容易に行なうことができる。
【０００９】
また、複数に分割した挟持部の一部のみが規定部に対する接離を行う場合の選択を行う切替スイッチの操作範囲を複数に分割するとともに、切替スイッチが各々の分割した操作範囲にあるときに、該操作範囲の分割位置と対応した分割位置の挟持部が規定部に対して接離を行うことも好ましく、このようにすることで、希望の挟持部を操作する為の切替スイッチの操作位置をすぐに認識することができる。
【００１０】
また、切替スイッチの操作により複数に分割した挟持部の一部のみが規定部に対する接離を行う場合を選択したときに、接離を行う一部の挟持部以外の挟持部を規定部から離れた位置に固定しておく為の機構を備えることも好ましく、このようにすることで、使用中に希望でない挟持部が不用意に動作することが防止され、安心して使用することができる。
【００１１】
また、切替スイッチの操作により複数に分割した挟持部の一部のみが規定部に対する接離を行う場合を選択したときに、規定部と接触した状態の挟持部をその位置で固定しておく為の機構を備えることも好ましく、このようにすることで、睫毛を確実に保持してしっかりと癖付けすることができる。
【００１２】
また、切替スイッチの操作により複数に分割した挟持部の一部のみが規定部に対する接離を行う場合を選択し、且つ、挟持部が接離を行っている最中に切替スイッチを固定しておく為の機構を備えることも好ましく、このようにすることで、使用中に不用意に指等が接触した場合に切替スイッチが動作して挟持部の誤作動を起こすといったことが防止される。
【００１３】
また、複数に分割した挟持部に、隣接する挟持部側に延設して成る突出部を設けることも好ましく、このようにすることで、挟持部間の隙間が突出部により塞がれるので、睫毛が挟まれて引っかかってしまうようなことが防止される。
【００１４】
また、隣接する挟持部において、双方から延設される突出部の規定部側の面を、互いの挟持部の規定部との接触面を連結させるように延設した面を二分割した形状に設けることも好ましく、このようにすることで、挟持部間の隙間が突出部により確実に塞がれるので、睫毛が挟まれて引っかかってしまうようなことが更に確実に防止される。
【００１５】
また、突出部を弾性体で形成することも好ましく、このようにすることで、分割した挟持部の一部が独立して接離を行うときに突出部が隣接する挟持部の側面に干渉した場合にも該突出部の弾性変形により接離動作が妨げられることが防止される。
【００１６】
また、突出部を薄肉状に形成することも好ましく、このようにすることで、突出部に更に弾性を持たせることが可能となり、分割した挟持部の一部が独立して接離を行うときに突出部が隣接する挟持部の側面に干渉した場合にも該突出部の弾性変形により接離動作が妨げられることが防止される。
【００１７】
また、睫毛を規定部と挟持部で挟み込んだ状態で、操作ハンドルの操作により睫毛の突出した毛先側の部分を規定部側へ押し付ける動作を行なう第二挟持部を設けることも好ましく、このようにすることで、睫毛の根元から毛先に至るまでの癖付けを一度の操作で効果的に行なうことができる。
【００１８】
また、操作ハンドルの操作により第二挟持部に睫毛を規定部に押し付ける動作を、複数に分割した挟持部の全部が規定部に対する接離を行う場合にのみ行なわせる為の機構を備えていることも好ましく、このようにすることで、挟持部と規定部により保持されていない睫毛の先端側の部分が第二挟持部により不用意に癖付けされるといったことが防止される。
【００１９】
また、複数に分割した挟持部の一部のみが規定部に対する接離を行う場合には、操作ハンドルの操作による第二挟持部の動作を、睫毛を規定部に押し付ける位置より適当な隙間を空けた位置で停止させる為の機構を備えていることも好ましく、このようにすることで、挟持部の動作を、鏡等を介してはっきりと見ることができ、細かい修正動作を容易に行うことができる。
【００２０】
また、分割された挟持部の各々にヒータを内蔵していることも好ましく、このようにすることで、規定部との間で挟み込んだときに睫毛を加熱することにより癖付けをより効果的に行なうことができる。
【００２１】
また、少なくとも一つのヒータに通電が為されていることを表示する通電ランプを備えることも好ましく、このようにすることで、動作時のヒータへの通電を確認して電池の入れ忘れや故障を早期に発見することができる。
【００２２】
また、通電ランプの発光を、通電されたヒータを備える挟持部により異なる発光色で行うことも好ましく、このようにすることで、どの挟持部を使用しているのかを容易に確認することができる。
【００２３】
また、通電ランプの発光を、通電の電源電圧が低いほどに弱い発光輝度で行うことも好ましく、このようにすることで、電池の消耗による交換時期を知ることができる。
【００２４】
また、操作ハンドルを複数設け、各々の操作ハンドルが分割された挟持部の各々を独立して移動せしめることも好ましく、このようにすることで、分割した操作ハンドルの各々を単独で操作すれば睫毛の目元や目尻といった局所的な部分のみを癖付けすることができ、同時に操作すれば睫毛全体を癖付けすることができる。
【００２５】
また、睫毛を規定部と挟持部で挟み込んだ状態で、睫毛の突出した毛先側の部分を規定部側へ押し付ける第二挟持部を設けるとともに、該第二挟持部を左右に複数分割して連設し、各々が独立して規定部に対する接離を行なうことも好ましく、このようにすることで、分割した挟持部及び第二挟持部の全部を同時に移動させれば睫毛全体の根元から毛先に至るまでの癖付けを一度の操作で効果的に行なうことができ、また、分割した挟持部及び該挟持部と対応する第二挟持部を単独で移動させれば睫毛の目元や目尻といった局所的な部分のみを規定部との間で挟み込んで根元から毛先に至るまでの効果的な癖付けを行うことができる。
【００２６】
また、分割された挟持部及び分割された第二挟持部の各々にヒータを内蔵していることも好ましく、このようにすることで、規定部との間で挟み込んだときに睫毛を加熱することにより癖付けをより効果的に行なうことができる。
【００２７】
【発明の実施の形態】
以下、本発明を添付図面に示す実施の形態に基づいて説明する。但し、説明中に用いる左右方向及び上下方向は、図１（ａ）や図１６（ａ）に示すような癖付け時に使用者側から見た場合を基準とする。
【００２８】
まず、図１〜図１５に示す本発明の実施の形態における一例の睫毛成形具３５について説明する。図１（ａ）〜（ｃ）には、上記睫毛成形具３５の全体を示している。一例の睫毛成形具３５は成形具本体３０に、睫毛の一方を保持する規定部１と、規定部１に対して相対的に離接を行って睫毛の根元から中間部にかけてを規定部１との間で挟み込む左第一挟持部２及び右第一挟持部３と、睫毛の中間部から毛先にかけてを規定部１との間で挟み込む為の第二挟持部４と、上記した左第一挟持部２、右第一挟持部３、第二挟持部４を動作させる為の操作ハンドル６とを設けて構成している。操作ハンドル６は成形具本体３０の正面側に上下スライド自在に設けている。また、成形具本体３０の下部には上下に細長く形成した電池カバー９を接続させている。
【００２９】
成形具本体３０の正面側の上部両側には支柱部３２を上方に向けて突設しており、両支柱部３２，３２間に規定部１を架設しているので、成形具本体３０の上部と両支柱部３２，３２と規定部１とに囲まれた部分が窓部３３を形成している。規定部１は眼球の曲率に似せて湾曲させており、正面視で中央部が上方に湾曲するとともに平面視で中央部が背方に湾曲した形状をしている。
【００３０】
成形具本体３０の上部には、左第一挟持部２を上端部に装着した左第一ホルダ１２と右第一挟持部３を上端部に装着した右第一ホルダ１３を左右対称に連接するとともに、第二挟持部４を上端部に装着した第二ホルダ１４を設けている。上記左右第一ホルダ１２，１３は左右独立に上下動自在である。左右第一挟持部２，３及び第二挟持部４は夫々成形具本体３０の上端部の開口から窓部３３内に突出しており、左右第一ホルダ１２，１３や第二ホルダ１４を上に移動させることで左右第一挟持部２，３や第二挟持部４が夫々規定部１に向けて窓部３３内を上昇して規定部１に押し当てられるようになっている。ここで、第二挟持部４は左右第一挟持部２，３よりも背方（図１（ｂ）において右側）にずれて位置させている。
【００３１】
左右第一挟持部２，３は共に規定部１に合わせて眼球の曲率に似せて湾曲させている。つまり、正面視で中央部が上方に湾曲し且つ平面視で中央部が背方に湾曲した形状をしているので、目の瞼に密着させた時に前述のように湾曲した規定部１が睫毛の上側に位置するとともに、この規定部１の下側と左右第一挟持部２，３とで睫毛の根元から中間部にかけてを挟み込むようにしている。また、第二挟持部４も規定部１に合わせて湾曲させており、同様に正面視で中央部が上方に湾曲し且つ平面視で中央部が背方に湾曲した形状をしているので、規定部１の背面側と第二挟持部４とで睫毛の中間部から毛先にかけての毛先側の部分を挟み込むようになっている。
【００３２】
図３、図４に示すように、左右第一挟持部２，３には、該左右第一挟持部２，３を並べた時に横方向に連続する断面Ｖ字状の溝２ａ，３ａを夫々形成しており、規定部１の下側には該溝２ａ，３ａが嵌まり込む凸部１ａを形成している。これにより睫毛の根元から中間部にかけてを左右第一挟持部２，３の溝２ａ，３ａと凸部１ａとで挟持することで睫毛の根元から中間部にかけてを癖付けするようになっている。ここで、断面Ｖ字状をした溝２ａ、３ａの溝底部分は鋭角でなくて丸みを持たせており、溝２ａ，３ａに沿って睫毛を癖付けする際に鋭角ではなく湾曲形状に癖付けさせることができる。第二挟持部４にも同様に断面Ｖ字状の溝５を形成しており、規定部１の背面側は該溝５が嵌まり込む凸部１ｂとなっている。これにより睫毛の中間部から毛先にかけてを第二挟持部４の溝５と凸部１ｂとで挟持することで睫毛の中間部から毛先にかけてを癖付けするようになっている。なお、この溝５の溝底部分も鋭角でなく丸みを持たせてもよい。
【００３３】
ここで、規定部１を金属やプラスチック材料等の剛性を有する材料で形成するとともに、左右第一挟持部２，３及び第二挟持部４を弾性体で形成することで、睫毛の規定部１への押圧を高めて睫毛の癖付けをより容易に行うことが可能となる。
【００３４】
左第一挟持部２には、弾性体により薄肉状に形成した左突出部２ｂを隣接する右第一挟持部３側に延設しており、右第一挟持部３にも同様の右突出部３ｂを左第一挟持部２側に延設している。左右突出部２ｂ，３ｂの規定部１側の面は、左第一挟持部２の規定部１との接触面を右第一挟持部３の規定部１との接触面と連結するように延設した面を左右に二分割した形状に設けており、左右突出部２ｂ，３ｂの隙間に睫毛が挟まらないようにしている。
【００３５】
左第一挟持部２にはニクロム線等をコイル状に巻いた左第一ヒータ１８を内蔵しており、右第一挟持部３には同様の右第一ヒータ１９を内蔵している。また、第二挟持部４にもニクロム線等をコイル状に巻いた第二ヒータ２０を内蔵している。上記した左右第一ヒータ１８，１９と第二ヒータ２０は成形具本体３０内に内蔵した乾電池５０に接続させており、加熱により容易に且つ確実に睫毛の癖付けができるようにしている。成形具本体３０の正面側には、通電ランプ２６を設けており、左右第一ヒータ１８，１９の少なくとも一つに通電が為されていることを発光により表示する。但し、この際の発光色は左右第一ヒータ１８，１９のいずれが通電されているかで異なる発光色にするとともに、発光輝度は通電の電源電圧が低い程に弱い発光輝度とする。
【００３６】
次に、睫毛成形具３５の操作ハンドル６の操作に伴って左右第一挟持部２，３の両方を一体に、若しくは、一方だけを独立に接離させる為の構成について述べる。
【００３７】
図２や図５に示すように、成形具本体３０の内部にて、左第一ホルダ１２と右第一ホルダ１３に囲まれる空間内にスライドノブ１６が内蔵されている。図３や図４に示すように、スライドノブ１６に設けた係合部１６ａには操作ハンドル６に設けた被係合部６ａが係合しているので、操作ハンドル６の上下スライドに伴ってスライドノブ１６は上下動自在であり、スライドノブ１６の下部と成形具本体３０とは第一ばね８で連結されている。また、スライドノブ１６には左右両側面の略中央から左横片部１６ｂ及び右横片部１６ｃを突設しており、左第一ホルダ１２の左側壁部の略中央に設けた左開口部１２ｄにスライドノブ１６の左横片部１６ｂを上下動自在に挿入するとともに、右第一ホルダ１３の中央部に設けた右開口部１３ｄにスライドノブ１６の右横片部１６ｃを上下動自在に挿入している。
【００３８】
スライドノブ１６の左横片部１６ｂより上方に設けた左上凸部１６ｄは左第一ホルダ１２の左開口部１２ｄより下方に設けた左下凸部１２ｅと左第二ばね１０により連結させ、左上凸部１６ｄの右隣りに設けた右上凸部１６ｅは右第一ホルダ１３の右開口部１３ｄより下方に設けた右下凸部１３ｅと右第二ばね１１により連結させている。第一ばね８と左第二ばね１０と右第二ばね１１はゴム等の弾性体であっても良いが、いずれにせよ初張力を有したものとする。第二ホルダ１４の両側から下方に延設した脚部２７，２７には貫通孔１４ａ，１４ａを夫々設けており、この貫通孔１４ａ，１４ａと左右横片部１６ｂ，１６ｃの嵌合により第二ホルダ１４とスライドノブ１６は連結されている。
【００３９】
図７等に示すように、操作ハンドル６下方にて左右方向にスライド自在に設けた切替スイッチ２３は、成形具本体３０に内蔵した切替ストッパー２４と連結しており、該切替ストッパー２４は切替スイッチ２３と連動して左右方向に移動するようになっている。また、操作ハンドル６と連結されたロック板２５も切替ストッパー２４のスライド、つまり、切替スイッチ２３のスライドと連動して左右方向に移動するようになっている。
【００４０】
図１、図３〜図１１には切替スイッチ２３を左右スライド範囲における中央に位置させた状態を示しているが、この状態で操作ハンドル６を上方にスライドさせると、スライドノブ１６が上方に移動することで左右第二ばね１０，１１を介して左右第一ホルダ１２，１３が上昇し、左右第一ホルダ１２，１３の上端に装着した左右第一挟持部２，３が睫毛の付け根から中間部を介して規定部１の下側に押し当たる。また、スライドノブ１６と第二ホルダ１４とは既述したように連結させているので、上記のように操作ハンドル６を上方に移動させると第二ホルダ１４も連動して上昇する。
【００４１】
ここで、図１や図３〜図７に示す初期状態から左右第一挟持部２，３が規定部１側に押し当てられて睫毛の根元から中間部にかけてを挟持するまでの操作ハンドル６の移動範囲では、左右第一挟持部２，３と第二挟持部４とが協働して上昇する。左右第一挟持部２，３が規定部１側へ押し当てられた後にそれ以上の範囲まで操作ハンドル６を上昇させた場合には、左右第一挟持部２，３が左右第二ばね１０，１１の張力により規定部１との間で睫毛の根元から中間部にかけてを挟持した状態のままで、スライドノブ１６の左右第二ばね１０，１１に抗した上昇によりスライドノブ１６と連結した第二ホルダ１４が更に上昇する。この為、所定の範囲を超えた領域では第二挟持部４のみが移動し、図８〜図１０に示すように第二挟持部４が左右第一挟持部２，３と規定部１とで挟み込まれた部分から更に突出した睫毛の中間部から毛先にかけての毛先側の部分を、規定部１の背面側に押し付ける。このようにして睫毛の根元から先端部にかけての癖付けを行うことができる。
【００４２】
この場合、既述したように第一ばね８と左右第二ばね１０，１１は初張力を持っているので、操作ハンドル６から指を離すと左右第一挟持部２，３と第二挟持部４が規定部１から自動的に離れることとなり、使用者にとっては使い勝手が良い。このように、使用者は成形具本体３０の把持部９を手で掴んで操作ハンドル６を指で押し上げた後、操作ハンドル６から指を離すのみで睫毛に滑らかな癖付けを行うことができる。
【００４３】
図１２〜図１５には切替スイッチ２３を左右スライド範囲における左側に位置させた状態を示している。この状態で操作ハンドル６を上方にスライドさせると、スライドノブ１６が上方に移動することで、左第二ばね１０を介してスライドノブ１６と連結された左第一ホルダ１２と、左右横片部１６ｂ，１６ｃを介してスライドノブ１６と連結された第二ホルダ１４とが協働して移動する。このとき、図１３、図１５に示すように右第一ホルダ１３の下部に設けた右凹部１３ａと、切替スイッチ２３と連動して左側にスライドした切替ストッパー２４に一対設けた凸部２４ａ，２４ａの右側の先端部が係合しているので、操作ハンドル６と連動してスライドノブ１６が上方に移動しても右第一ホルダ１３は動作することなく規定部１と離れた位置に固定されている。左第一ホルダ１２が所定の位置まで移動したときに、左第一ホルダ１２の上端に装着した左第一挟持部２は睫毛の根元から中間部を介して規定部１の下側に押し当る。
【００４４】
このように固定された右第一ホルダ１３の上部には右凸部１３ｂが突設されており、操作ハンドル６の押し上げにより左第一挟持部２が睫毛の根元から中間部を介して規定部１の下側に押し当った状態のときにスライドノブ１６の右側上端が上記右凸部１３ｂに当接して、これ以上の範囲までスライドノブ１６が押し上げられないようにしている。スライドノブ１６と連結された第二ホルダ１４もこの位置で動作を停止するので、第二挟持部４の動作は、睫毛を規定部１に押し付ける位置よりも使用時に窓部３３から鏡等を介して左第一挟持部２の動作をはっきり確認できるだけの適当な隙間を空けた位置で停止するようになっている。
【００４５】
またこのとき、左第二ホルダ１２の右端部から延設した左係止部１２ｃに、切替スイッチ１３と連動して左側にスライドするとともに操作ハンドル６と連結して上方に移動したロック板２５に設けたロック用凸部２５ａが係合する状態にあり、この係合により規定部１に押し当る状態の左第一挟持部１２はその位置で固定されるので、睫毛を確実に保持した状態で癖付けを行うことができる。
【００４６】
図１５に示すように、操作ハンドル６の下部には正面側に凸部６ａを突設しており、操作ハンドル６を押し上げた状態において、切替ストッパー２４の背面側にて左右方向に４箇所並設した凸部２４ｂの間に上記凸部６ａが嵌合される。これにより、左第一挟持部２が接離を行っている最中には切替ストッパー２４と連結した切替スイッチ２３は左右方向のスライドを固定されるようになっている。
【００４７】
次に、切替スイッチ２３を左右スライド範囲における右側に位置させた場合について説明する。本例の睫毛成形具３５は左右対称に形成しているので、左第一ホルダ１２には右第一ホルダ１３と同様の左凹部１２ａや左凸部１２ｂを設けており、右第一ホルダ１３には左第一ホルダ１２と同様の右係止部１３ｃを設けている。従って、切替スイッチ２３を左側に位置させた場合と同様に、操作ハンドル６を上方にスライドさせると右第一ホルダ１３と第二ホルダ１４が協働して移動するとともに、右第一挟持部３が睫毛の根元から中間部を介して規定部１の下側に押し当った状態で第二ホルダ１４の移動は停止される。このとき左第一ホルダ１２は規定部１と離れた位置で動作を固定されている。また、右第一挟持部３は規定部１と接触する状態で睫毛を確実に保持するように固定され、切替スイッチ２３は右第一挟持部３が接離を行っている最中には左右方向にスライドしないように固定される。
【００４８】
このように、本例の睫毛成形具３５を用いることで、切替スイッチ２３を左側にスライドさせれば左第一挟持部２と規定部１により挟み込まれた部分の睫毛に局所的な癖付けを行うことができるとともに、切替スイッチ２３を右側にスライドさせれば右第一挟持部３と規定部１により挟み込まれた部分の睫毛に局所的な癖付けを行うことができ、更に、切替スイッチを中央に位置させれば左右第一挟持部２，３及び第二挟持部４とで睫毛を規定部１との間で挟み込んで全体的な癖付けを一度で行うことができる。
【００４９】
但し、第一挟持部は本例のように二つに分割するものでなく左右方向に三つ以上に分割したものであっても良いが、その場合にも第一挟持部の一部のみが規定部１に対する接離を行う場合の選択を行う為の切替スイッチ２３の操作範囲を、第一挟持部の分割と同数に分割するとともに、切替スイッチ２３が各々の分割した操作範囲（例えば左から２番目の分割位置）にあるときに、該操作範囲の分割位置と対応した分割位置の第一挟持部（例えば左から２番目の分割された第一挟持部）が規定部１に対して接離を行うようにすることが好ましい。
【００５０】
次に、本発明の実施の形態における他例の睫毛成形具３５について図１６〜図２３に基づいて説明する。他例の睫毛成形部３５は、図１６等に示すように、睫毛の一方を保持する規定部１を供えるとともに、規定部１に対して相対的に接離自在に設けられて規定部１との間で睫毛を挟み込む左第一挟持部２及び右第一挟持部３と、睫毛の中間部から毛先にかけてを規定部１との間で挟み込む為の左第二挟持部４ａ及び右第二挟持部４ｂと、左第一挟持部２と左第二挟持部４ａを移動せしめる左操作ハンドル６ａ及び右第一挟持部３と右第二挟持部４ｂを移動せしめる右操作ハンドル６ｂとが、中心線Ｃ′を中心として左右対称に分割された状態で連設されている。また図１９、図２０や図２３等に示すように睫毛成形具３５の内部構造も中心線Ｃ′を中心に左右対称に独立して構成されている。
【００５１】
成形具本体３０には手で掴むことができるような上下に細長い把持部３１を設けており、把持部３１の正面側には、中心線Ｃ′を中心に左右対称に分割されたように左操作ハンドル６ａ及び右操作ハンドル６ｂを独立に上下動自在として連接している。成形具本体３０の左操作ハンドル６ａ及び右操作ハンドル６ｂを取付けた正面側の上部両側には支柱部３２を上方に向けて突設しており、両支柱部３２，３２間に規定部１を架設しているので、成形具本体３０の上部と両支柱部３２，３２と規定部１とに囲まれた部分が窓部３３となっている。規定部１は眼球の曲率に似せて湾曲させており、正面視で中央部が上方に湾曲するとともに平面視で中央部が背方に湾曲した形状をしている。
【００５２】
成形具本体３０には左第一挟持部２を上端部に装着した左第一ホルダ１２と右第一挟持部３を上端部に装着した右第一ホルダ１３を左右対称に連接しており、また左第二挟持部４ａを上端部に装着した左第二ホルダ１４ａと右第二挟持部４ｂを上端部に装着した右第二ホルダ１４ｂが左右対称に内装されている。上記左右第一ホルダ１２，１３と左右第二ホルダ１４ａ，１４ｂは夫々が左右独立に上下動自在である。左右第一挟持部２，３及び左右第二挟持部４ａ，４ｂは夫々成形具本体３０の上端部の開口から窓部３３内に突出しており、左右第一ホルダ１２，１３や左右第二ホルダ１４ａ，１４ｂを上に移動させることで左右第一挟持部２，３や左右第二挟持部４ａ，４ｂが夫々規定部１に向けて窓部３３内を上昇して規定部１に押し当てられるようになっている。ここで、左右第一挟持部２，３よりも左右第二挟持部４ａ，４ｂが背方（図１６（ｂ）、図１７（ｂ）において右側）にずれて位置させている。
【００５３】
左右第一挟持部２，３は共に規定部１に合わせて眼球の曲率に似せて湾曲させている。つまり、正面視で中央部が上方に湾曲し且つ平面視で中央部が背方に湾曲した形状をしているので、目の瞼に密着させた時に前述のように湾曲した規定部１が睫毛の上側に位置するとともに、この規定部１の下側と左右第一挟持部２，３とで睫毛の根元から中間部にかけてを挟み込むようにしている。また、左右第二挟持部４ａ，４ｂも規定部１に合わせて湾曲させており、同様に正面視で中央部が上方に湾曲し且つ平面視で中央部が背方に湾曲した形状をしているので、規定部１の背面側と左右第二挟持部４ａ，４ｂとで睫毛の中間部から毛先にかけてを挟み込むようになっている。
【００５４】
図１９、図２０に示すように、左右第一挟持部２，３には、該左右第一挟持部２，３を並べた時に横方向に連続する断面Ｖ字状の溝２ａ，３ａを夫々形成しており、規定部１の下側は該断面Ｖ字状の溝２ａ，３ａの嵌まり込む凸部１ａとなっている。これにより睫毛の根元から中間部にかけてを左右第一挟持部２，３の溝２ａ，３ａと凸部１ａとで挟持することで睫毛の根元から中間部にかけてを癖付けするようになっている。ここで、断面Ｖ字状をした溝２ａ，３ａの溝底部分は鋭角でなくて丸みを持たせており、溝２ａ，３ａに沿って睫毛を癖付けする際に鋭角ではなく湾曲形状に癖付けさせることができる。左右第二挟持部４ａ，４ｂにも同様に該左右第二挟持部４ａ，４ｂを並べた時に横方向に連続する断面Ｖ字状の溝５ａ、５ｂを夫々形成しており、規定部１の背面側は断面Ｖ字状の溝５ａ，５ｂが嵌まり込む凸部１ｂとなっている。これにより睫毛の中間部から毛先にかけてを左右第二挟持部４ａ，４ｂの溝５ａ，５ｂと凸部１ｂとで挟持することで睫毛の中間部から毛先にかけてを癖付けするようになっている。なおこの溝１ｂの底も鋭角でなく丸みを持たせてもよい。
【００５５】
ここで、規定部１を金属やプラスチック材料等の剛性を有する材料で構成するとともに、左右第一挟持部２，３及び左右第二挟持部４ａ，４ｂを弾性体で形成することで、睫毛の規定部１への押圧を高めて睫毛の癖付けをより容易に行うことが可能となる。
【００５６】
左第一挟持部２にはニクロム線等をコイル状に巻いた左第一ヒータ１８を内蔵しており、右第一挟持部３には同様の右第一ヒータ１９を内蔵している。また、左第二挟持部４ａにはニクロム線等をコイル状に巻いた左第二ヒータ２０ａを、右第二挟持部４ｂには同様の右第二ヒータ２０ｂを夫々内蔵している。上記した左右第一ヒータ１８，１９と左右第二ヒータ２０ａ，２０ｂは成形具本体３０内に内装した乾電池５０と接続させており、加熱により容易に且つ確実に睫毛の癖付けができるようにしている。また、規定部１内にもニクロム線等をコイル状に巻いたヒータを設けてもよく、このようにすれば睫毛の癖付けを更に容易に且つ確実に行うことができる。
【００５７】
本例の睫毛成形具３５は既述したように中心線Ｃ′を挟んで左右対称に構成しているので、以下、睫毛成形具３５の左側において左操作ハンドル６ａの操作に伴って左第一挟持部２及び左第二挟持部４ａを上昇させて睫毛の癖付けを行なう為の構成について述べる。
【００５８】
成形具本体３０の左側には左スライドノブ１６ａが上下動自在として内装されており、図１９や図２１に示すように、該スライドノブ１６ａに設けた係合部２２には左操作ハンドル６ａに設けた被係合部２１が係合していて、左操作ハンドル６ａの上下動に伴って左スライドノブ１６ａが上下方向に移動するようになっている。左スライドノブ１６ａの下部と成形具本体３０とは初張力をもった左第一ばね８ａにより連結している。また、左スライドノブ１６ａには上下方向の中央部に開口部４３が設けてあって、この開口部４３に左第一ホルダ１２の下部に設けた下横片部４４を上下動自在に挿入しており、下横片部４４と左スライドノブ１６ａの上部は初張力を持った左第二ばね１０により連結している。但し、左第一ばね８ａ及び左第二ばね１０はゴム等の弾性体であってもよい。図２３に示すように左第二ホルダ１４ａの両側部からは脚部２７，２７を夫々下方に垂設しており、この脚部２７，２７と左スライドノブ１６ａは図２３に示す腕部２９により連結させている。
【００５９】
しかして左操作ハンドル６ａを上方に移動させると、左スライドノブ１６ａが上方に移動することで左第二ばね１０を介して左第一ホルダ１２が上昇し、左第一ホルダ１２の上端に装着した左第一挟持部２は睫毛の付け根から中間部を介して規定部１の下側に押し当たる。また、左スライドノブ１６ａと左第二ホルダ１４ａとは連結させているので、上記のように左操作ハンドル６ａを上方に移動させると左第二ホルダ１４ａも連動して上昇する。ここで、図２２（ａ）に示すような左第一挟持部２が規定部１側に押し当てられて睫毛の根元から中間部にかけてを挟持するまでの左操作ハンドル６ａの移動範囲では、左第一挟持部２と左第二挟持部４ａとが協働して上昇し、左第一挟持部２が規定部１側へ押し当てられた後にそれ以上の範囲まで左操作ハンドル６ａを上昇させた場合には、左第一挟持部２が左第二ばね１０の張力により規定部１との間で睫毛の根元から中間部にかけてを挟持した状態のままで、左スライドノブ１６ａの左第二ばね１０に抗した上昇により左スライドノブ１６ａと連結した左第二ホルダ１４ａが更に上昇する。この為、所定の範囲を超えた領域では左第二挟持部４ａのみが移動し、図２２（ｂ）に示すように左第二挟持部４ａが規定部１側に押し当てられることで、左第一挟持部２と規定部１とで挟み込まれた部分から更に突出した睫毛の中間部から毛先にかけての毛先側の部分を規定部１の背面側と左第二挟持部４ａとの間で挟持する。このようにして睫毛の根元から先端部にかけての癖付けを行うことができる。
【００６０】
この場合、左第一ばね８ａと左第二ばね１０は初張力を持っているので、左操作ハンドル６ａから指を離すと左第一挟持部２と左第二挟持部４ａが規定部１から自動的に離れることとなり、使用者にとっては使い勝手が良い。このように、使用者は成形具本体３０の把持部３１を手で掴んで左操作ハンドル６ａを指で押し上げた後、左操作ハンドル６ａから指を離すのみで睫毛に滑らかな癖付けを行うことができる。
【００６１】
以上、本例の睫毛成形具３５において中心線Ｃ′を挟んで左側の構成について述べたが、図２０に示すように右側においても右第一挟持部３、右第二挟持部４ｂ、右操作ハンドル６ｂ、右第一ホルダ１３、右第二ホルダ１４ｂ、右スライドノブ１６ｂ、右第一ばね８ｂ、右第二ばね１１が左側と左右対称な構成を有している。
【００６２】
左側と右側とは完全に独立した構成となっているので、左操作ハンドル６ａの操作により左第一ホルダ１２や左第二ホルダ１４ａを上昇させて規定部１と左第一挟持部２や左第二挟持部４ａにより挟み込まれた部分の睫毛に癖付けを行ったり、図１７に示すように右操作ハンドル６ｂの操作により右第一ホルダ１３や右第二ホルダ１４ｂを上昇させて規定部１と右第一挟持部３や右第二挟持部４ｂにより挟み込まれた部分の睫毛に癖付けをしたりというように、左右独立な操作によって目元や目尻といった局所的な箇所の癖付けを簡単に行なうことができ、更に、左操作ハンドル６ａと右操作ハンドル６ｂを同時に操作することで、睫毛全体を一度に癖付けすることもできる。
【００６３】
【発明の効果】
上記のように請求項１に記載の発明にあっては、分割した挟持部の全てを同時に移動させれば一度で睫毛全体を癖付けすることができ、また、分割した挟持部の各々を単独で移動させれば睫毛の目元や目尻といった局所的な部分のみを規定部と各々の挟持部の間で挟み込んで癖付けすることができるので、複数の種類の睫毛成形具を所持せずとも一つの睫毛成形具の簡単な操作によって睫毛全体の癖付けと局所的な癖付けを選択し、全体の癖付け時に規定部の曲率が使用者の目と合わなかった場合にはその部分だけ再度局所的に癖付けをしたり、徐々にずらしながら癖付けを行うという面倒な作業をせずに左右に分割された挟持部を使い分けて局所的な癖付けをしたりといったように、睫毛の癖付け作業を使い勝手良く行うことができるという効果がある。
【００６４】
また、請求項２に記載の発明にあっては、請求項１に記載の発明の効果に加えて、一度で睫毛全体の癖付けをしたり睫毛の目元や目尻と言った局所的な部分のみの癖付けをしたりといった多様な癖付けを、切替スイッチの操作により簡単且つ確実に行うことができるという効果がある。
【００６５】
また、請求項３に記載の発明にあっては、請求項２に記載の発明の効果に加えて、操作ハンドルを操作している最中に間違って切替スイッチをスライドさせて希望の動作状態を切り替えてしまうといったことが防止されるという効果がある。
【００６６】
また、請求項４に記載の発明にあっては、請求項２または３に記載の発明の効果に加えて、操作ハンドルを操作している最中に間違って切替スイッチに接触して希望の動作状態を切り替えてしまうことを防止するとともに、操作ハンドルを初期状態に戻したときに切替スイッチが戻した指の近くにあることから別の動作状態への切り替えを容易に行なうことができるという効果がある。
【００６７】
また、請求項５に記載の発明にあっては、請求項２〜４のいずれかに記載の発明の効果に加えて、希望の挟持部を操作する為の切替スイッチの操作位置をすぐに認識することができるという効果がある。
【００６８】
また、請求項６に記載の発明にあっては、請求項２〜５のいずれかに記載の発明の効果に加えて、使用中に希望でない挟持部が不用意に動作することが防止されるので、安心して使用することができるという効果がある。
【００６９】
また、請求項７に記載の発明にあっては、請求項２〜６のいずれかに記載の発明の効果に加えて、睫毛を確実に保持してしっかりと癖付けすることができるという効果がある。
【００７０】
また、請求項８に記載の発明にあっては、請求項２〜７のいずれかに記載の発明の効果に加えて、使用中に不用意に指等が接触した場合に切替スイッチが動作して挟持部の誤作動を起こすことが防止されるという効果がある。
【００７１】
また、請求項９に記載の発明にあっては、請求項１〜８のいずれかに記載の発明の効果に加えて、挟持部間の隙間が突出部により塞がれるので、睫毛が挟まれて引っかかってしまうといったことが防止されるという効果がある。
【００７２】
また、請求項１０に記載の発明にあっては、請求項９に記載の発明の効果に加えて、挟持部間の隙間が突出部により確実に塞がれるので、睫毛が挟まれて引っかかってしまうといったが更に確実に防止されるという効果がある。
【００７３】
また、請求項１１に記載の発明にあっては、請求項９または１０に記載の発明の効果に加えて、分割した挟持部の一部が独立して接離を行うときに突出部が隣接する挟持部の側面に干渉した場合にも該突出部の弾性変形により接離動作が妨げられることが防止されるという効果がある。
【００７４】
また、請求項１２に記載の発明にあっては、請求項９〜１１のいずれかに記載の発明の効果に加えて、突出部に更に弾性を持たせることが可能となり、分割した挟持部の一部が独立して接離を行うときに突出部が隣接する挟持部の側面に干渉した場合にも該突出部の弾性変形により接離動作が妨げられることが防止されるという効果がある。
【００７５】
また、請求項１３に記載の発明にあっては、請求項１〜１２のいずれかに記載の発明の効果に加えて、睫毛の根元から毛先に至るまでの癖付けを一度の操作で効果的に行なうことができるという効果がある。
【００７６】
また、請求項１４に記載の発明にあっては、請求項１３に記載の発明の効果に加えて、挟持部と規定部により保持されていない睫毛の先端側の部分が第二挟持部により不用意に癖付けされるといったことが防止されるという効果がある。
【００７７】
また、請求項１５に記載の発明にあっては、請求項１４に記載の発明の効果に加えて、挟持部の動作を、鏡等を介してはっきりと見ることができ、細かい修正動作を容易に行うことができるという効果がある。
【００７８】
また、請求項１６に記載の発明にあっては、請求項１〜１５のいずれかに記載の発明の効果に加えて、規定部との間で挟み込んだときに睫毛を加熱することができ、癖付けをより効果的に行なうことができるという効果がある。
【００７９】
また、請求項１７に記載の発明にあっては、請求項１６に記載の発明の効果に加えて、動作時のヒータへの通電を確認することで電池の入れ忘れや故障を早期に発見することができるという効果がある。
【００８０】
また、請求項１８に記載の発明にあっては、請求項１７に記載の発明の効果に加えて、どの挟持部を使用しているのかを容易に確認することができるという効果がある。
【００８１】
また、請求項１９に記載の発明にあっては、請求項１７または１８に記載の発明の効果に加えて、電池の消耗による交換時期を知ることができるという効果がある。
【００８２】
また、請求項２０に記載の発明にあっては、請求項１に記載の発明の効果に加えて、分割した操作ハンドルの各々を単独で操作すれば睫毛の目元や目尻といった局所的な部分のみを癖付けすることができ、同時に操作すれば睫毛全体を癖付けすることができるという効果がある。
【００８３】
また、請求項２１に記載の発明にあっては、請求項１または２０に記載の発明の効果に加えて、分割した挟持部及び第二挟持部の全部を同時に移動させれば睫毛全体の根元から毛先に至るまでの癖付けを一度の操作で効果的に行なうことができ、また、分割した挟持部及び該挟持部と対応する第二挟持部を単独で移動させれば睫毛の目元や目尻といった局所的な部分のみを規定部との間で挟み込んで根元から毛先に至るまでの効果的な癖付けを行うことができるという効果がある。
【００８４】
また、請求項２２に記載の発明にあっては、請求項２１に記載の発明の効果に加えて、規定部との間で挟み込んだときに睫毛を加熱することができ、癖付けをより効果的に行なうことが可能になるという効果がある。
【図面の簡単な説明】
【図１】本発明の実施の形態における一例の睫毛成形具の切替スイッチが中央に位置して操作ハンドルが初期状態にある場合を示しており、（ａ）は正面図、（ｂ）は側面図、（ｃ）は背面図である。
【図２】一例の睫毛成形具の分解斜視図である。
【図３】図１の主要部Ａ−Ａ線断面図である。
【図４】図１の主要部Ｂ−Ｂ線断面図である。
【図５】図１の状態における一例の睫毛成形具の一部カバーを外した状態の主要部背面図である。
【図６】図１の状態における一例の睫毛成形具の一部カバーを外した状態を示すＡ−Ａ線断面図である。
【図７】図５のＣ−Ｃ線断面図である。
【図８】一例の睫毛成形具の切替スイッチが中央に位置して操作ハンドルを最大に上昇させた場合を示す正面図である。
【図９】図８の状態における一例の睫毛成形具の一部カバーを外した状態の主要部背面図である。
【図１０】図８の状態における一例の睫毛成形具の一部カバーを外した状態を示すＤ−Ｄ線断面図である。
【図１１】図９のＥ−Ｅ線断面図である。
【図１２】一例の睫毛成形具の切替スイッチが左側に位置して操作ハンドルを最大に上昇させた場合を示す正面図である。
【図１３】図１２の状態における一例の睫毛成形具の一部カバーを外した状態の主要部背面図である。
【図１４】図１２の状態における一例の睫毛成形具の一部カバーを外した状態を示すＦ−Ｆ線断面図である。
【図１５】図１３のＧ−Ｇ線断面図である。
【図１６】本発明における実施の形態における他例の睫毛成形具を示しており、（ａ）は正面図、（ｂ）は側面図、（ｃ）は背面図である。
【図１７】他例の睫毛成形具の右操作スイッチを独立に上昇させた状態を示しており、（ａ）は正面図、（ｂ）は側面図、（ｃ）は背面図である。
【図１８】図１６（ａ）のＡ′−Ａ′線断面図である。
【図１９】図１８の主要部拡大図である。
【図２０】図１６（ａ）の主要部Ｂ′−Ｂ′線断面図である。
【図２１】図１６（ａ）のＤ′−Ｄ′線断面図である。
【図２２】他例の睫毛成形具の図１６（ａ）に示す拡大Ｂ′−Ｂ′線断面図であり、（ａ）は左第一挟持部のみが規定部に押し付けられた状態、（ｂ）は左第一挟持部と左第二挟持部が共に規定部に押し付けられた状態を示している。
【図２３】他例の睫毛成形具一部カバーを外した状態の背面図である。
【符号の説明】
１  規定部
２  左第一挟持部
２ｂ  左突出部
３  右第一挟持部
３ｂ  右突出部
４  第二挟持部
６  操作ハンドル
６ａ  左操作ハンドル
６ｂ  右操作ハンドル
１２  左第一ホルダ
１２ａ  左凹部
１２ｂ  左凸部
１２ｃ  左係止部
１３  右第一ホルダ
１３ａ  右凹部
１３ｂ  右凸部
１３ｃ  右係止部
１４  第二ホルダ
１４ａ  左第二ホルダ
１４ｂ  右第二ホルダ
１６  スライドノブ
１６ａ  左スライドノブ
１６ｂ  右スライドノブ
１８  左第一ヒータ
１９  右第一ヒータ
２０  第二ヒータ
２０ａ  左第二ヒータ
２０ｂ  右第二ヒータ
２３  切替スイッチ
２４  切替ストッパー
２４ａ  凸部
２５  ロック板
２５ａ  ロック用凸部
２６  通電ランプ
３０  成形具本体
３５  睫毛成形具
５０  乾電池
【図１】
0003757821.tif 000002
【図２】
0003757821.tif 000003
【図３】
0003757821.tif 000004
【図４】
0003757821.tif 000005
【図５】
0003757821.tif 000006
【図６】
0003757821.tif 000007
【図７】
0003757821.tif 000008
【図８】
0003757821.tif 000009
【図９】
0003757821.tif 000010
【図１０】
0003757821.tif 000011
【図１１】
0003757821.tif 000012
【図１２】
0003757821.tif 000013
【図１３】
0003757821.tif 000014
【図１４】
0003757821.tif 000015
【図１５】
0003757821.tif 000016
【図１６】
0003757821.tif 000017
【図１７】
0003757821.tif 000018
【図１８】
0003757821.tif 000019
【図１９】
0003757821.tif 000020
【図２０】
0003757821.tif 000021
【図２１】
0003757821.tif 000022
【図２２】
0003757821.tif 000023
【図２３】
0003757821.tif 000024